(57)【要約】【課題】音響信号の特定成分を高精度に分離可能な分離用データを生成する。【解決手段】記憶装置１４４は、音響信号ＳAの特定成分を強調または抑圧する分離処理に適用される分離用データＱを記憶する。更新用データ取得部４４は、分離用データＱを適用した分離処理後の音響信号ＳBの再生音の受聴者による入力が反映された更新用データＵを、複数の端末装置１２の各々から通信網１６を介して取得する。更新処理部４６は、更新用データ取得部４４が取得した各更新用データＵを利用して記憶装置１４４の分離用データＱを更新する。【選択図】図１
2014178641.tif 000002
【特許請求の範囲】
【請求項１】
音響信号の特定成分を強調または抑圧する分離処理に適用される分離用データを記憶する記憶部と、
前記分離用データを適用した分離処理で前記特定成分が抑圧された音響信号の再生に並行して収録された収録音に応じた収録データを含む更新用データを取得する更新用データ取得部と、
前記更新用データ取得部が取得した各更新用データを利用して前記記憶部の分離用データを更新する更新処理部と
を具備する分離用データ処理装置。
【請求項２】
前記更新用データ取得部は、前記分離用データを適用した分離処理で特定成分が抑圧された音響信号の再生に並行して収録された収録信号と、前記分離用データを適用した分離処理で前記特定成分を強調した音響信号との比較結果に応じた評価データと、前記収録信号に応じた前記収録データとを含む前記更新用データを取得する
請求項１の分離用データ処理装置。
【請求項３】
前記更新処理部は、前記収録信号と前記特定成分を強調した音響信号とが類似するほど前記分離用データの更新に対する前記収録データの影響が増加するように、前記更新用データに応じて前記分離用データを更新する
請求項２の分離用データ処理装置。
【請求項４】
前記更新用データ取得部は、前記分離用データを適用した分離処理後の音響信号の再生音の受聴者による調整指示に応じた調整データを含む
請求項１から請求項３の何れかの分離用データ処理装置。
【請求項５】
前記更新用データ取得部は、端末装置から通信網を介して前記更新用データを取得する
請求項１から請求項４の何れかの分離用データ処理装置。
【請求項６】
音響信号の特定成分を強調または抑圧する分離処理に適用される分離用データを記憶する記憶部を具備するコンピュータを、
前記分離用データを適用した分離処理で前記特定成分が抑圧された音響信号の再生に並行して収録された収録音に応じた収録データを含む更新用データを取得する更新用データ取得部、および、
前記更新用データ取得部が取得した各更新用データを利用して前記記憶部の分離用データを更新する更新処理部
として機能させるプログラム。
【発明の詳細な説明】
【技術分野】
【０００１】
本発明は、音響信号の特定の成分（以下「特定成分」という）を分離（強調または抑圧）する技術に関する。
【背景技術】
【０００２】
複数の音響の混合音を示す音響信号の特定成分を抑圧する技術が従来から提案されている。例えば特許文献１には、音響信号の音像が定位する位置を周波数成分毎に算定し、音像が特定の範囲に定位する周波数成分を音響信号から抑圧する技術が開示されている。
【先行技術文献】
【特許文献】
【０００３】
【特許文献１】特開２０１２−１６３８６１号公報
【発明の概要】
【発明が解決しようとする課題】
【０００４】
しかし、特許文献１の技術において、音響信号の所望の成分が高精度に抑圧されるように周波数および音像位置を適切に指定することは実際には容易ではない。また、抑圧対象となる歌唱音等の音響成分の周波数や音像位置は例えば楽曲毎に相違し得るから、例えば相異なる楽曲に対応する各音響信号について特定の成分を高精度に抑圧するには、周波数や音像位置を楽曲毎に個別に設定する必要があり現実には困難である。以上の事情を考慮して、本発明は、音響信号の特定成分を高精度に分離（抑圧または強調）可能な分離用データを簡便に生成することを目的とする。
【課題を解決するための手段】
【０００５】
以上の課題を解決するために、本発明の分離用データ処理装置は、音響信号の特定成分を強調または抑圧する分離処理に適用される分離用データを記憶する記憶部（例えば記憶装置１４４）と、分離用データを適用した分離処理後の音響信号（例えば音響信号ＳB）の再生音を受聴した利用者による入力が反映された更新用データを取得する更新用データ取得部と、更新用データ取得部が取得した更新用データを利用して記憶部の分離用データを更新する更新処理部とを具備する。以上の構成では、分離用データを適用した分離処理後の音響信号（例えば音響信号ＳB）の再生音の受聴者による入力が反映された更新用データを利用して分離用データが更新される。したがって、音響信号の特定成分を高精度に分離可能な信頼性の高い分離用データを簡便に生成できるという利点がある。
【０００６】
本発明の好適な態様において、更新用データ取得部は、分離用データを適用した分離処理で特定成分が抑圧された音響信号の再生に並行して収録された収録音（すなわち、分離処理後の音響信号の再生音に並行して利用者が歌唱した歌唱音）に応じた収録データを含む更新用データを取得する。以上の構成では、特定成分を抑圧した音響信号の再生に並行して収録された収録音に応じた収録データを含む更新用データを利用して分離用データが更新される。更に好適な態様において、更新用データ取得部は、分離用データを適用した分離処理で特定成分を抑圧した音響信号の再生に並行して収録された収録信号と、分離用データを適用した分離処理で特定成分を強調した音響信号との比較結果に応じた評価データと、収録信号に応じた収録データとを含む更新用データを取得する。以上の構成では、特定成分を抑圧した音響信号の再生に並行して収録された収録信号と特定成分を強調した音響信号との比較結果に応じた評価データが更新用データとして分離用データの更新に適用される。したがって、各端末装置の利用者の発音（典型的には歌唱）の巧拙を反映して信頼性の高い分離用データを生成できるという利点がある。具体的には、更新処理部は、収録信号と特定成分を強調した音響信号とが類似するほど分離用データの更新に対する収録データの影響（統計的な重み付け）が増加するように、更新用データに応じて分離用データを更新する。以上の構成によれば、特定成分を強調した音響信号とは音響特性が乖離した収録信号の影響を低減して信頼性の高い分離用データを効率的に生成できるという利点がある。
【０００７】
本発明の好適な態様において、更新用データ取得部は、分離用データを適用した分離処理後の音響信号の再生音の受聴者による調整指示に応じた調整データを含む。以上の態様では、分離処理後の音響信号の再生音の受聴者による調整指示に応じた調整データが更新用データとして分離用データの更新に適用される。したがって、分離処理後の音響信号の再生音を利用者が聴取した結果を反映した信頼性の高い分離用データを生成できるという利点がある。
【０００８】
本発明の好適な態様において、更新用データ取得部は、１以上の端末装置から通信網を介して更新用データを取得する。以上の構成では、１以上の端末装置から通信網を介して取得された更新用データが分離用データの更新に利用されるから、音響信号の特定成分を高精度に分離可能な信頼性の高い分離用データを簡便に生成できるという前述の効果は格別に顕著である。
【０００９】
以上の各態様に係る音声処理装置は、歌唱音声の処理に専用されるＤＳＰ（Digital Signal Processor）などのハードウェア（電子回路）によって実現されるほか、ＣＰＵ（Central Processing Unit）等の汎用の演算処理装置とプログラムとの協働によっても実現される。具体的には、本発明に係るプログラムは、音響信号の特定成分を強調または抑圧する分離処理に適用される分離用データを記憶する記憶部を具備するコンピュータを、
分離用データを適用した分離処理後の音響信号の再生音の受聴者による入力が反映された更新用データを取得する更新用データ取得部、および、更新用データ取得部が取得した各更新用データを利用して記憶部の分離用データを更新する更新処理部をコンピュータに実行させる。以上の各態様に係るプログラムは、コンピュータが読取可能な記録媒体に格納された形態で提供されてコンピュータにインストールされ得る。記録媒体は、例えば非一過性（non-transitory）の記録媒体であり、ＣＤ-ＲＯＭ等の光学式記録媒体（光ディスク）が好例であるが、半導体記録媒体や磁気記録媒体等の公知の任意の形式の記録媒体を包含し得る。また、例えば、本発明のプログラムは、通信網を介した配信の形態で提供されてコンピュータにインストールされ得る。
【図面の簡単な説明】
【００１０】
【図１】本発明の第１実施形態に係る音響処理システムのブロック図である。
【図２】分離処理の説明図である。
【図３】音響処理システムの概略的な動作の説明図である。
【図４】各端末装置および分離用データ処理装置の機能的な構成図である。
【図５】第２実施形態における各端末装置および分離用データ処理装置の機能的な構成図である。
【図６】本発明の第３実施形態に係る分離用データ処理装置の機能的な構成図である。
【図７】変形例に係る各端末装置および分離用データ処理装置の機能的な構成図である。
【図８】変形例に係る分離用データ処理装置の機能的な構成図である。
【発明を実施するための形態】
【００１１】
＜第１実施形態＞
図１は、本発明の第１実施形態に係る音響処理システム１００のブロック図である。図１に示すように、音響処理システム１００は、複数の端末装置１２と分離用データ処理装置１４Aとを具備する通信システムである。各端末装置１２は、例えば携帯電話機やスマートフォン等の通信端末であり、通信網１６（例えば移動通信網やインターネット）を介して分離用データ処理装置１４Aと相互に通信する。
【００１２】
１個の端末装置１２について図１に代表的に図示した通り、各端末装置１２は、制御装置１２１と記憶装置１２２と通信装置１２３と表示装置１２４と入力装置１２５と収音装置１２６と放音装置１２７とを具備するコンピュータシステムで実現される。制御装置１２１は、記憶装置１２２に記憶されたプログラムを実行することで各種の制御処理および演算処理を実行する演算処理装置である。通信装置１２３は、通信網１６を介して分離用データ処理装置１４Aと通信する。なお、端末装置１２と通信網１６との間の通信は典型的には無線通信であるが、例えば据置型の情報処理装置を端末装置１２として利用する場合には端末装置１２と通信網１６とが有線通信することも可能である。
【００１３】
表示装置１２４（例えば液晶表示パネル）は、制御装置１２１から指示された画像を表示する。入力装置１２５は、端末装置１２に対する利用者からの指示を受付ける機器であり、例えば利用者が操作する複数の操作子を含んで構成される。なお、表示装置１２４と一体に構成されたタッチパネルを入力装置１２５として採用することも可能である。
【００１４】
記憶装置１２２（例えば半導体記録媒体）は、制御装置１２１が実行するプログラムや制御装置１２１が使用する各種のデータを記憶する。第１実施形態の記憶装置１２２は、相異なる楽曲に対応する複数の音響信号ＳAを記憶する。音響信号ＳAは、複数の音響の混合音の時間波形を示す左右２チャネルのステレオ信号である。具体的には、楽曲の旋律を歌唱した歌唱音と楽曲の伴奏を構成する複数の楽器の演奏音との混合音が音響信号ＳAで表現される。記憶装置１２２に記憶された各音響信号ＳAには属性データＭAが対応付けられる。属性データＭAは、楽曲に関連する情報である。具体的には、楽曲名や歌手名等の属性情報が属性データＭAで指定される。
【００１５】
第１実施形態の各端末装置１２では、音響信号ＳAの特定成分を分離（抑圧または強調）する分離処理が実行される。具体的には、音響信号ＳAの歌唱音を抑圧（理想的には除去）するとともに伴奏音を強調（理想的には抽出）した音響を示すステレオ形式の音響信号ＳBが生成される。図２は、第１実施形態における分離処理の説明図である。定位-周波数平面における音響信号の各周波数成分の分布（散布図）が図２には図示されている。定位-周波数平面は、音響信号の各周波数成分の音像が定位する位置（以下「音像位置」という）θを示す定位軸ＸLと、各周波数成分の周波数を示す周波数軸ＸFとが設定された座標平面である。例えば定位軸ＸL上の原点（θ＝０）が受聴者の正面方向に相当する。第１実施形態の分離処理は、音響信号ＳAが示す音響のうち図２の定位-周波数平面内に画定された特定の範囲（以下「分離対象範囲」という）Ｒ内の成分を抑圧または強調する処理である。図２に示すように、分離対象範囲Ｒは、周波数軸ＸF上の特定の範囲（以下「対象周波数範囲」という）ＲFと定位軸ＸL上の特定の範囲（以下「対象定位範囲」という）ＲLとで規定される。図２では分離対象範囲Ｒ内の成分を抑圧した場合が例示されている。
【００１６】
図１の放音装置１２７は、制御装置１２１が分離処理で生成した音響信号ＳBに応じた音響（すなわち楽曲の歌唱音を抑圧した音響）を再生する。したがって、利用者は、楽曲の伴奏音を聴取しながら楽曲の旋律（歌唱パート）を歌唱すること（すなわちカラオケ）が可能である。収音装置１２６は、利用者の歌唱音の時間波形を示す収録信号Ｖを生成する。すなわち、収録信号Ｖは、楽曲の伴奏音の再生に並行して収録された収録音を示す音響信号である。なお、音響信号ＳBをアナログ信号に変換するＤ/Ａ変換器やアナログ信号からデジタルの収録信号Ｖを生成するＡ/Ｄ変換器の図示は便宜的に省略した。
【００１７】
図１の分離用データ処理装置１４Aは、各端末装置１２での分離処理に適用される分離用データＱを管理するサーバ装置（典型的にはウェブサーバ）であり、制御装置１４２と記憶装置１４４と通信装置１４６とを具備するコンピュータシステムで実現される。なお、相互に別体に構成された複数の装置（例えば通信網１６を介して相互に通信する複数のサーバ装置）で分離用データ処理装置１４Aを実現することも可能である。制御装置１４２は、記憶装置１４４に記憶されたプログラムを実行することで各種の制御処理および演算処理を実行する。通信装置１４６は、通信網１６を介して各端末装置１２と通信する。
【００１８】
記憶装置１４４は、制御装置１４２が実行するプログラムや制御装置１４２が使用する各種のデータを記憶する。例えば半導体記録媒体や磁気記録媒体等の記録媒体または複数種の記録媒体の組合せが記憶装置１４４として採用され得る。なお、分離用データ処理装置１４Aとは別体の外部装置（例えば外部サーバ装置）に記憶装置１４４を設置し、分離用データ処理装置１４Aが通信網１６を介して記憶装置１４４に対する情報の書込や読出を実行する構成も採用され得る。
【００１９】
第１実施形態の記憶装置１４４は、相異なる楽曲に対応する複数の分離用データＱを記憶する。分離用データＱは、各端末装置１２による分離処理に適用される設定データであり、例えば音響信号ＳAのうち分離処理による分離対象を指定するために利用される。具体的には、第１実施形態の分離用データＱは図２の分離対象範囲Ｒを指定する。すなわち、対象周波数範囲ＲF（周波数軸ＸF上の上限値および下限値）と対象定位範囲ＲL（定位軸ＸL上の上限値および下限値）とが分離用データＱで指定される。以下の説明では、分離用データＱが指定する分離対象範囲Ｒが楽曲の全区間にわたり変化しない構成（すなわち分離用データＱが１種類の分離対象範囲Ｒのみを指定する構成）を便宜的に例示する。なお、分離用データＱが対象周波数範囲ＲFのみを指定する構成（対象定位範囲ＲLの指定を省略した構成）も採用され得る。
【００２０】
音響信号ＳAのうち楽曲の歌唱音が分離対象に包含されるように分離用データＱは楽曲毎に個別に生成される。歌唱音の周波数帯域や音像位置θは楽曲毎に相違し得るから、分離用データＱが指定する対象周波数範囲ＲFおよび対象定位範囲ＲLは楽曲毎に相違する。なお、以下の説明では分離用データＱが１個の分離対象範囲Ｒを指定する場合を例示するが、分離用データＱが複数の分離対象範囲Ｒを指定する（すなわち音響信号ＳAのうち相異なる複数の成分を分離する）構成も採用され得る。図１に示すように、各分離用データＱには属性データＭBが対応付けられる。属性データＭBは、属性データＭAと同様に、楽曲に関連する情報（例えば楽曲名や歌手名等の属性情報）である。なお、音響信号ＳAの分離対象に関連する情報（例えばボーカル，ギター等のパート名）を属性データＭBが指定することも可能である。
【００２１】
図３は、音響処理システム１００の概略的な動作の説明図である。端末装置１２の利用者は、入力装置１２５を適宜に操作することで、音響信号ＳAが記憶装置１２２に記憶された複数の楽曲のうち所望の楽曲（以下「対象曲」という）の再生を指示する。対象曲の再生が指示されると、端末装置１２は対象曲の分離用データＱを分離用データ処理装置１４Aに要求し（Ｓ1）、分離用データ処理装置１４Aは、端末装置１２からの要求に応じて対象曲の分離用データＱを要求元の端末装置１２に送信する（Ｓ2）。端末装置１２は、分離用データ処理装置１４Aから提供された分離用データＱを適用した分離処理を対象曲の音響信号ＳAに対して実行する（Ｓ3）。そして、端末装置１２は、分離処理の結果に応じた更新用データＵを生成して分離用データ処理装置１４Aに送信する（Ｓ4）。更新用データＵは、概略的には、分離処理後の再生音を受聴した利用者が当該再生音に関連して実行する入力動作（例えば再生音に並行した歌唱）に応じて生成される。分離用データ処理装置１４Aは、端末装置１２から送信された更新用データＵを利用して対象曲の分離用データＱを更新する（Ｓ5）。対象曲の再生が各端末装置１２に指示されるたびに以上の処理が実行される。すなわち、複数の端末装置１２の各々から更新用データＵが分離用データ処理装置１４Aに送信される。したがって、分離用データ処理装置１４Aの記憶装置１４４に記憶された各楽曲の分離用データＱは、各端末装置１２における当該楽曲の再生毎に累積的に更新され、分離用データＱを適用した分離処理で歌唱音が分離される精度（以下「分離用データＱの信頼性」という）が経時的に向上する。以上に概説した構成および動作の詳細を以下に説明する。
【００２２】
図４は、第１実施形態における各端末装置１２および分離用データ処理装置１４Aの機能的な構成図である。図４に示すように，端末装置１２の制御装置１２１は、記憶装置１２２に記憶されたプログラム（楽曲再生プログラム）を実行することで、音響信号ＳAの再生および更新用データＵの生成のための複数の機能（分離用データ取得部２２，分離処理部２４，再生制御部２６，解析処理部３０）を実現する。なお、制御装置１２１の各機能を複数の集積回路に分散した構成や、制御装置１２１の機能の一部を専用の電子回路（例えばＤＳＰ）が実現する構成も採用され得る。
【００２３】
分離用データ取得部２２は、対象曲の分離用データＱを分離用データ処理装置１４Aから取得する。具体的には、分離用データ取得部２２は、端末装置１２の利用者が選択した対象曲の属性データＭAを包含する要求を通信装置１２３から分離用データ処理装置１４Aに送信し（図３のステップＳ1）、端末装置１２からの要求に応じて分離用データ処理装置１４Aから送信された分離用データＱを通信装置１２３から取得する（図３のステップＳ2）。
【００２４】
図４の分離処理部２４は、分離用データ取得部２２が取得した分離用データＱを適用した分離処理を対象曲の音響信号ＳAに対して実行する（図３のステップＳ3）。第１実施形態の分離処理部２４は、抑圧処理部２４２と強調処理部２４４とを含んで構成される。抑圧処理部２４２は、対象曲の音響信号ＳAの歌唱音を抑圧するとともに伴奏音を強調した音響信号ＳBを生成する。他方、強調処理部２４４は、音響信号ＳAの歌唱音を強調（理想的には抽出）するとともに伴奏音を抑圧（理想的には除去）した音響信号ＳCを生成する。すなわち、第１実施形態の分離処理は、歌唱音を抑圧する抑圧処理と歌唱音を強調する強調処理とを包含する。分離処理の具体例を以下に詳述する。
【００２５】
分離処理部２４は、対象曲の音響信号ＳAの各周波数成分について音像位置θを算定する。音像位置θの算定には公知の技術が任意に採用され得るが、例えば特許文献１に開示されるように音響信号ＳAの各チャネルの強度比を利用した演算が好適である。抑圧処理部２４２は、音響信号ＳAの複数の周波数成分のうち、分離用データＱが指定する対象周波数範囲ＲF内の周波数成分であり、かつ、分離用データＱが指定する対象定位範囲ＲL内に音像位置θが包含される周波数成分の強度を抑圧することで音響信号ＳBを生成する。他方、強調処理部２４４は、音響信号ＳAの複数の周波数成分のうち、分離用データＱが指定する対象周波数範囲ＲF外の周波数成分、または、分離用データＱが指定する対象定位範囲ＲL外に音像位置θが包含される周波数成分の強度を抑圧することで音響信号ＳCを生成する。なお、音響信号ＳBおよび音響信号ＳCの一方を音響信号ＳAから減算することで音響信号ＳBおよび音響信号ＳCの他方を生成することも可能である。
【００２６】
再生制御部２６は、分離処理部２４（抑圧処理部２４２）が生成した音響信号ＳBと収音装置１２６から供給される収録信号Ｖとを混合するとともに各種の音響効果（例えばエコー）の付与や信号強度の増幅等の音響処理を実行したうえで放音装置１２７から音波として再生させる。利用者は、分離処理後の音響信号ＳBが示す対象曲の伴奏音の再生に並行して対象曲の旋律（歌唱パート）を歌唱する。すなわち、楽曲の音響信号ＳAから歌唱音を抑圧した伴奏音（音響信号ＳB）と利用者の歌唱音（収録信号Ｖ）との混合音が放音装置１２７から再生される。
【００２７】
解析処理部３０は、対象曲の更新用データＵを生成する。第１実施形態の更新用データＵは、音響信号ＳBの再生音に並行して収音装置１２６が生成した収録信号Ｖ（すなわち楽曲の伴奏音に同期した歌唱音）に応じて生成される。図４に例示される通り、第１実施形態の解析処理部３０は、評価処理部３２と変換処理部３４とを含んで構成される。
【００２８】
評価処理部３２は、収音装置１２６が生成する収録信号Ｖと分離処理部２４（強調処理部２４４）が歌唱音を強調した音響信号ＳCとを比較するとともに比較結果に応じた評価データＤSを生成する。すなわち、評価処理部３２は、音響信号ＳAに包含される歌唱音と収音装置１２６が収録した利用者の歌唱音とを比較し、両者間の類似度（典型的には相関）に応じた評価データＤSを算定する。音響信号ＳAに包含される歌唱音は楽曲の模範的または標準的な歌唱音に相当するから、評価処理部３２は、利用者の歌唱の巧拙（模範的または標準的な歌唱との近似または相違の度合）を評価する要素とも換言され得る。評価処理部３２による評価データＤSの生成には公知の歌唱評価技術（例えば複数の音響信号の相互間で音高や音量等の特徴量を比較する技術）が任意に採用され得る。評価処理部３２が生成した評価データＤSが示す評価（得点）は表示装置１２４に表示される。
【００２９】
変換処理部３４は、収音装置１２６が生成した収録信号Ｖに応じた収録データＤVを生成する。具体的には、変換処理部３４は、収録信号Ｖを表現するＭＩＤＩ（Musical Instrument Digital Interface）形式の収録データＤVを生成する。すなわち、収録データＤVは、収録信号Ｖが示す歌唱音の各音符の音高（ノートナンバ）および強度（ベロシティ）を指定して発音または消音を指示するイベントデータと、各イベントデータの処理時点（例えば相前後する各イベントデータの処理間隔）を指定する時間データとの複数組を配列した時系列データである。収録データＤVの生成には、公知の変換技術（Audio−MIDI変換）が任意に採用される。
【００３０】
図４に示すように、評価処理部３２が生成した評価データＤSと変換処理部３４が生成した収録データＤVとを包含する対象曲の更新用データＵが端末装置１２の通信装置１２３から通信網１６を介して分離用データ処理装置１４Aに送信される（図３のステップＳ4）。すなわち、端末装置１２の利用者の歌唱音に応じた収録データＤVと当該歌唱音の評価結果（巧拙）を示す評価データＤSとが更新用データＵとして送信される。
【００３１】
図４に示すように、分離用データ処理装置１４Aの制御装置１４２は、記憶装置１４４に記憶されたプログラム（分離用データ更新プログラム）を実行することで、各端末装置１２に対する分離用データＱの提供および更新用データＵを利用した分離用データＱの更新のための複数の機能（分離用データ提供部４２，更新用データ取得部４４、更新処理部４６）を実現する。なお、制御装置１４２の各機能を複数の集積回路に分散した構成や、制御装置１４２の機能の一部を専用の電子回路（例えばＤＳＰ）が実現する構成も採用され得る。
【００３２】
分離用データ提供部４２は、対象曲の分離用データＱを端末装置１２に提供する。具体的には、分離用データ提供部４２は、端末装置１２から送信された要求（図３のステップＳ1）で指定された属性データＭAに対応（典型的には合致）する対象曲の属性データＭBを記憶装置１４４から検索し、当該属性データＭBに対応する対象曲の分離用データＱを通信装置１４６から要求元の端末装置１２に送信する（図３のステップＳ2）。
【００３３】
更新用データ取得部４４は、対象曲の更新用データＵを複数の端末装置１２の各々から通信網１６および通信装置１４６を介して取得する。具体的には、更新用データ取得部４４は、端末装置１２の解析処理部３０が生成した対象曲の評価データＤSと収録データＤVとを包含する更新用データＵを端末装置１２から取得する。
【００３４】
更新処理部４６は、記憶装置１４４に記憶された対象曲の分離用データＱを、更新用データ取得部４４が取得した対象曲の更新用データＵ（収録データＤV，評価データＤS）を利用して更新する（図３のステップＳ5）。例えば、更新処理部４６は、収録データＤVが指定する歌唱音の音高範囲を特定し、対象曲の分離用データＱで指定される対象周波数範囲ＲFが収録データＤVの音高範囲に近付くように対象曲の分離用データＱを更新する。また、例えば収録データＤVで指定される音高を基本周波数とした各倍音成分が抑圧されるように分離用データＱを更新する構成や、収録データＤVを利用して打楽器音等の非調波音を抑圧対象から除外（回復）する構成も採用され得る。ＭＩＤＩデータ等の時系列データを利用して分離精度を改善する技術は、例えば特開２０１２−１０８４５３号公報にも開示されている。なお、分離用データＱの更新に利用した収録データＤVを楽曲毎に記憶装置１４４に蓄積することも可能である。楽曲毎に蓄積された収録データＤVは、楽曲検索等の各種の処理に利用される。例えば、入力装置１２５の操作で利用者が指定した旋律に類似する収録データＤVが蓄積された楽曲を対象曲として検索する構成や、収録データＤVを利用して検索された対象曲の分離用データＱを分離用データ提供部４２が端末装置１２に送信（Ｓ2）する構成が好適である。
【００３５】
ところで、各端末装置１２の利用者毎に歌唱の巧拙は相違する。歌唱が上手な利用者の収録データＤVを分離用データＱに反映させた場合には分離用データＱの信頼性（品質）は向上するが、歌唱が下手な利用者の収録データＤVを分離用データＱに反映させた場合には分離用データＱの信頼性が却って低下する可能性がある。以上の事情を考慮して、第１実施形態の更新処理部４６は、利用者の歌唱の巧拙を示す評価データＤSを収録データＤVによる分離用データＱの更新に適用する。具体的には、更新処理部４６は、評価データＤSが示す評価が高い（収録信号Ｖが示す収録音と音響信号ＳCが示す歌唱音とが類似する）ほど分離用データＱの更新に対する収録データＤVの影響（統計的な重み付け）が増加するように、収録データＤV（更新用データＵ）に応じて対象曲の分離用データＱを更新する。評価データＤSが示す評価が閾値を下回る場合（例えば利用者の歌唱が過度に下手な場合や音響信号ＳBの再生時に利用者が歌唱していない場合）、更新用データＵの収録データＤVは分離用データＱに反映されない。以上の説明から理解される通り、第１実施形態の評価データＤSは、利用者の歌唱音を示す収録データＤV（収録信号Ｖ）が分離用データＱの信頼性の向上に寄与する度合（歌唱音の妥当性）を示す指標に相当し、分離用データＱの更新時における収録データＤVの重み値として利用される。
【００３６】
図３を参照して説明した通り、各端末装置１２の利用者が対象曲の再生を指示するたびに以上の処理が実行される。すなわち、分離用データ処理装置１４Aは、既存の分離用データＱを適用した分離処理後の音響信号ＳBの再生音を受聴した利用者の入力動作（対象曲の歌唱）に応じた更新用データＵを、複数の端末装置１２の各々から複数回にわたり反復的に取得し、各端末装置１２から取得した更新用データＵを利用して記憶装置１４４内の各楽曲の分離用データＱを更新する。端末装置１２から更新用データＵを取得するたびに当該更新用データＵを適用した分離用データＱの更新が逐次的に実行される。
【００３７】
以上の説明から理解される通り、第１実施形態では、複数の端末装置１２の各々から取得した更新用データＵを利用して記憶装置１４４内の各楽曲の分離用データＱが更新される。すなわち、各端末装置１２の複数の利用者の歌唱が分離用データＱに反映される。したがって、音響信号ＳAの特定成分（歌唱音）を高精度に分離可能な信頼性の高い分離用データＱを簡便に生成できるという利点がある。
【００３８】
第１実施形態では、評価データＤSが示す評価が高い（収録信号Ｖが示す収録音と音響信号ＳCが示す歌唱音とが類似する）ほど分離用データＱの更新に対する収録データＤVの影響が増加する。したがって、各端末装置１２の利用者の歌唱の巧拙に関わらず収録データＤVを分離用データＱに反映させる構成と比較して、各楽曲の分離用データＱの信頼性を効率的に改善できるという利点もある。
【００３９】
＜第２実施形態＞
本発明の第２実施形態を説明する。以下に例示する各形態において作用や機能が第１実施形態と同等である要素については、第１実施形態の説明で参照した符号を流用して各々の詳細な説明を適宜に省略する。
【００４０】
図５は、第２実施形態における各端末装置１２および分離用データ処理装置１４Aの機能的な構成図である。図５に示すように、第２実施形態の端末装置１２の制御装置１２１は、第１実施形態と同様の要素（分離用データ取得部２２，分離処理部２４，再生制御部２６，解析処理部３０）に加えて表示制御部２８として機能する。表示制御部２８は、分離用データＱを適用した分離処理を表象する分離処理画像を表示装置１２４に表示させる。分離処理画像は、図２の例示と同様に、定位-周波数平面における音響信号ＳB（または音響信号ＳA）の各周波数成分の分布（散布図）と分離対象範囲Ｒとを利用者に提示する画像である。
【００４１】
利用者は、表示装置１２４に表示された分離処理画像を確認しながら入力装置１２５を適宜に操作することで分離処理画像の分離対象範囲Ｒを調整することが可能である。分離対象範囲Ｒを調整することで、分離処理後の音響信号ＳBの再生音における歌唱音の音量が増減する。利用者は、放音装置１２７から放射される音響信号ＳBの再生音を聴取しながら入力装置１２５を操作（調整操作）することで、対象曲の歌唱音が分離処理で高精度に低減される（すなわち再生音における歌唱音の音量が充分に低減される）ように、分離対象範囲Ｒの対象周波数範囲ＲFおよび対象定位範囲ＲLを調整する。
【００４２】
対象曲の歌唱音が高精度に抑圧されるように分離対象範囲Ｒが設定されるほど、強調処理後の音響信号ＳCでは歌唱音以外の成分の混在が抑制されるから、評価処理部３２による収録信号Ｖの評価が上昇し易い（分離対象範囲Ｒが不適切であるほど歌唱音の評価が低下する）という傾向がある。すなわち、強調処理後の音響信号ＳCと利用者の歌唱音の収録信号Ｖとの類否評価（利用者に対する歌唱評価結果の提示）は、対象曲の歌唱音が高精度に抑圧されるように分離対象範囲Ｒを調整する調整操作を利用者に適正に実行させるための誘因として作用する。
【００４３】
図５に示す通り、第２実施形態の解析処理部３０は、第１実施形態と同様の要素（評価処理部３２，変換処理部３４）に加えて調整管理部３６を含んで構成される。調整管理部３６は、分離対象範囲Ｒに対する利用者の調整操作に応じた調整データＤCを生成する。具体的には、調整管理部３６は、利用者の調整操作後の分離対象範囲Ｒ（対象周波数範囲ＲF，対象定位範囲ＲL）を指定する調整データＤCを生成する。なお、調整管理部３６による調整データＤCの生成時期は任意である。例えば、対象曲の再生が完了した時点で調整データＤCを生成する構成や、対象曲の途中の時点（例えば間奏の時点）で調整データＤCを生成する構成が採用され得る。
【００４４】
第２実施形態では、評価処理部３２が生成した評価データＤSと変換処理部３４が生成した収録データＤVとに加えて調整管理部３６が生成した調整データＤCを包含する対象曲の更新用データＵが端末装置１２から分離用データ処理装置１４Aに送信される（図３のステップＳ4）。分離用データ処理装置１４Aの更新用データ取得部４４は、複数の端末装置１２の各々から更新用データＵを取得し、更新処理部４６は、更新用データ取得部４４が取得した各更新用データＵを利用して対象曲の分離用データＱを更新する。
【００４５】
第２実施形態の更新処理部４６は、更新用データＵの収録データＤVおよび評価データＤSに応じて第１実施形態と同様に対象曲の分離用データＱを更新するほか、端末装置１２の調整管理部３６が生成した調整データＤCを利用して対象曲の分離用データＱを更新する。具体的には、更新処理部４６は、調整データＤCが指定する分離対象範囲Ｒに近付くように、対象曲の分離用データＱが指定する分離対象範囲Ｒ（対象周波数範囲ＲF，対象定位範囲ＲL）を更新する。複数の端末装置１２から送信される調整データＤCを利用した分離用データＱの更新が反復されることで、各楽曲の分離用データＱが指定する分離対象範囲Ｒは、各端末装置１２の利用者が当該楽曲について過去に指定した複数の分離対象範囲Ｒの平均的な範囲に調整される。
【００４６】
第２実施形態においても第１実施形態と同様の効果が実現される。また、第２実施形態では、分離用データＱを適用した分離処理後の再生音の受聴者による調整操作に応じた調整データＤCが当該分離用データＱの更新に適用されるから、音響信号ＳAの特定成分（歌唱音）を高精度に分離可能な信頼性の高い分離用データＱを簡便に生成できるという前述の効果は格別に顕著である。なお、以上の例示では、評価データＤSと収録データＤVと調整データＤCとを包含する更新用データＵを例示したが、更新用データＵが調整データＤCのみを包含する構成（評価データＤSや収録データＤVを省略した構成）も採用され得る。すなわち、評価処理部３２または変換処理部３４を省略することも可能である。
【００４７】
＜第３実施形態＞
第１実施形態および第２実施形態では、分離用データ処理装置１４Aが各端末装置１２から通信網１６を介して更新用データＵを受信して分離用データＱを更新する音響処理システム１００を例示した。第３実施形態の分離用データ処理装置１４Bは、更新用データＵの生成と分離用データＱの更新とを装置単体で実行する。
【００４８】
図６は、第３実施形態の分離用データ処理装置１４Bのブロック図である。図６に示すように、分離用データ処理装置１４Bは、制御装置１８１と記憶装置１８２と表示装置１８４と入力装置１８５と収音装置１８６と放音装置１８７とを具備するコンピュータシステムで実現される。例えば携帯電話機やスマートフォンやパーソナルコンピュータ等の情報処理装置が分離用データ処理装置１４Bとして利用される。なお、通信網１６を介した分離用データＱまたは更新用データＵの授受は第３実施形態では不要であるから、分離用データ処理装置１４Bの通信機能の有無は不問である。
【００４９】
記憶装置１８２は、音響信号ＳAと分離用データＱとを複数の楽曲の各々について記憶する。表示装置１８４は、第２実施形態の表示装置１２４と同様に分離処理画像を表示し、入力装置１８５は、第１実施形態の入力装置１２５と同様に対象曲の選択等の指示を利用者から受付ける。収音装置１８６は、第１実施形態の収音装置１２６と同様に収録信号Ｖを生成し、放音装置１８７は、第１実施形態の放音装置１２７と同様に分離処理後の音響信号ＳBを再生する。
【００５０】
制御装置１８１は、記憶装置１８２に記憶されたプログラム（楽曲再生プログラム，分離用データ更新プログラム）を実行することで、音響信号ＳAの再生および更新用データＵの生成と分離用データＱの更新とのための複数の機能（分離処理部５４，再生制御部５６，表示制御部５８，更新用データ取得部６０，更新処理部７０）を実現する。なお、制御装置１８１の各機能を複数の集積回路に分散した構成や、制御装置１８１の機能の一部を専用の電子回路（例えばＤＳＰ）が実現する構成も採用され得る。
【００５１】
分離処理部５４（抑圧処理部５４２，強調処理部５４４）は、第１実施形態の分離処理部２４と同様に、利用者が指定した対象曲の分離用データＱを適用した分離処理（抑圧処理，強調処理）を対象曲の音響信号ＳAに対して実行することで、音響信号ＳAの歌唱音を抑圧（理想的には除去）した音響信号ＳBと歌唱音を強調（理想的には抽出）した音響信号ＳCとを生成する。再生制御部５６は、第１実施形態の再生制御部２６と同様に、分離処理部５４（抑圧処理部５４２）が生成した音響信号ＳBと収音装置１８６から供給される収録信号Ｖとを混合して放音装置１８７に再生させる。第１実施形態と同様に、利用者は、放音装置１８７が再生する対象曲の伴奏音を聴取しながら楽曲の旋律（歌唱パート）を歌唱する。
【００５２】
更新用データ取得部６０は、対象曲の更新用データＵを取得する。具体的には、更新用データ取得部６０は、第２実施形態の解析処理部３０と同様に、評価処理部６２と変換処理部６４と調整管理部６６とを含んで構成され、評価データＤSと収録データＤVと調整データＤCと包含する更新用データＵを生成する。評価処理部６２は、第１実施形態の評価処理部３２と同様に音響信号ＳCと収録信号Ｖとの比較結果に応じた評価データＤSを生成し、変換処理部６４は、第１実施形態の変換処理部３４と同様に収録信号Ｖに応じた収録データＤVを生成する。また、調整管理部６６は、第２実施形態の調整管理部３６と同様に、利用者が指示した分離対象範囲Ｒを指定する調整データＤCを生成する。
【００５３】
更新処理部７０は、第１実施形態の更新処理部４６と同様に、更新用データ取得部６０が取得（生成）した更新用データＵを利用して対象曲の分離用データＱを更新する。分離用データＱの更新方法は第１実施形態と同様である。利用者が楽曲の再生を指示するたびに更新用データＵの生成と分離用データＱの更新とが実行される。すなわち、第１実施形態と同様に、各楽曲の分離用データＱは複数回にわたり反復的に更新される。したがって、第３実施形態においても第１実施形態や第２実施形態と同様の効果が実現される。
【００５４】
以上の説明から理解される通り、第１実施形態の更新用データ取得部４４および第３実施形態の更新用データ取得部６０は、分離用データＱを適用した分離処理後の音響信号ＳBの再生音を受聴した利用者による入力（収音装置に対する歌唱や入力装置に対する指示）が反映された更新用データＵを取得する要素として包括される。すなわち、更新用データＵを取得する要素（更新用データ取得部）が、第１実施形態のように外部装置（端末装置１２）から更新用データＵを取得するか第３実施形態のように自身が更新用データＵを生成するかは不問である。
【００５５】
＜変形例＞
前述の各形態は多様に変形され得る。具体的な変形の態様を以下に例示する。以下の例示から任意に選択された２以上の態様は適宜に併合され得る。
【００５６】
（１）前述の各形態では、複数の楽曲の各々について分離用データＱを用意したが、楽曲毎に個別に分離用データＱを用意する必要はない。例えば、楽曲の属性（例えば歌唱者，ジャンル，録音形式）毎に分離用データＱを用意した構成も好適である。属性が相互に共通する複数の楽曲の分離処理には共通の分離用データＱが適用される。以上の構成によれば、複数の楽曲について共通の分離用データＱが適用されるから、楽曲毎に分離用データＱを保持する構成と比較して、分離用データＱの記憶に必要な容量が削減されるという利点がある。
【００５７】
（２）前述の各形態では、分離対象範囲Ｒが楽曲の全区間にわたり変化しない構成を例示したが、分離対象範囲Ｒを楽曲内で経時的に変化させる構成も採用され得る。すなわち、分離用データＱは分離対象範囲Ｒの時系列（時間的な遷移）を指定する。以上の構成では、更新用データＵが楽曲内で反復的に生成され、分離用データＱが指定する各分離対象範囲Ｒの更新に適用される。
【００５８】
（３）分離処理の具体的な内容は以上の各形態の例示に限定されず、音響信号ＳAから特定成分を分離（抑圧または強調）する公知の音響処理技術（例えば音源分離技術）が任意に採用される。分離用データＱまたは更新用データＵの形式は分離処理の内容に応じて適宜に変更される。例えば楽曲の各音符の音高を時系列に指定するＭＩＤＩ形式の時系列データ（例えば収録データＤV）を分離用データＱとして利用し、分離用データＱが指定する各音高の音響成分を特定成分として音響信号ＳAから分離する構成も採用され得る。以上の構成では、収録信号Ｖに応じた収録データＤV（または各端末装置１２から送信された複数の収録データＤVの平均データ）が分離用データＱとして記憶される。
【００５９】
（４）所定の条件が成立した場合に分離用データＱの更新を終了することも可能である。例えば、所定の回数にわたり分離用データＱが更新された場合に分離用データＱの更新を終了する（分離用データＱを確定する）構成や、更新用データＵを適用した更新時の分離用データＱの変動が充分に小さい場合（分離用データＱが収束した場合）に分離用データＱの更新を終了する構成が採用される。
【００６０】
（５）第１実施形態および第２実施形態では、各楽曲の音響信号ＳAを端末装置１２の記憶装置１２２に記憶したが、各楽曲の音響信号ＳAを分離用データ処理装置１４Aの記憶装置１４４に格納することも可能である。対象曲の再生が端末装置１２に指示されると、分離用データ処理装置１４A（分離用データ提供部４２）は、対象曲の分離用データＱと音響信号ＳAとを記憶装置１４４から取得して要求元の端末装置１２に送信する。以上の構成によれば、音響信号ＳAを端末装置１２毎に保持する必要がないという利点がある。
【００６１】
分離用データ処理装置１４Aの記憶装置１４４に音響信号ＳAを格納した構成では、記憶装置１４４に記憶された対象曲の音響信号ＳAに分離用データＱを適用する分離処理部２４を分離用データ処理装置１４Aに設置することも可能である。以上の構成では、分離用データ処理装置１４Aの分離処理部２４による分離処理後の音響信号（ＳB，ＳC）が通信網１６を介して端末装置１２に送信される。音響信号ＳBは再生制御部２６により放音装置１２７から再生され、音響信号ＳCは評価処理部３２による収録信号Ｖの評価に適用される。以上の構成によれば、分離処理部２４を各端末装置１２に搭載する必要がないという利点がある。なお、分離用データ処理装置１４Aに設置された分離処理部２４が、端末装置１２から通信網１６を介して受信した音響信号ＳAを処理することも可能である。
【００６２】
また、分離処理部２４に包含される抑圧処理部２４２および強調処理部２４４の一方のみを分離用データ処理装置１４Aに設置することも可能である。例えば、強調処理部２４４と評価処理部３２とを分離用データ処理装置１４Aに設置するとともに抑圧処理部２４２を端末装置１２に設置した構成が採用される。以上の構成では、歌唱音の収録信号Ｖが端末装置１２から分離用データ処理装置１４Aに送信され、分離用データ処理装置１４Aの強調処理部２４４が生成した音響信号ＳCと端末装置１２から受信した収録信号Ｖとを対比することで分離用データ処理装置１４Aの歌唱評価部３２が評価データＤSを生成する。なお、強調処理部２４４を分離用データ処理装置１４Aに設置した構成のもとで、記憶装置１４４に音響信号ＳAが格納される場合には、記憶装置１４４内の音響信号ＳAが、分離用データ処理装置１４Aの強調処理部２４４による音響信号ＳCの生成に適用され、かつ、分離用データ処理装置１４Aから端末装置１２に送信されたうえで端末装置１２の抑圧処理部２４２による音響信号ＳBの生成に適用される。他方、強調処理部２４４を分離用データ処理装置１４Aに設置した構成のもとで、端末装置１２の記憶装置１２２に音響信号ＳAが格納される場合には、記憶装置１２２内の音響信号ＳAが、端末装置１２の抑圧処理部２４２による音響信号ＳBの生成に適用され、かつ、端末装置１２から分離用データ処理装置１４Aに送信されたうえで分離用データ処理装置１４Aの強調処理部２４４による音響信号ＳCの生成に適用される。なお、以上の説明では強調処理部２４４を分離用データ処理装置１４Aに設置した構成を例示したが、抑圧処理部２４２を分離用データ処理装置１４Aに設置することも可能である。
【００６３】
（６）図７に例示される通り、第２実施形態において、入力装置１２５に対する利用者の調整操作を、分離処理部２４が分離処理に適用する分離用データＱに随時に反映させることも可能である。図７の構成では、分離処理（抑圧処理）で音響信号ＳAから抑圧される特定成分が、利用者による調整操作に応じて実時間的に変更される。したがって、利用者は、音響信号ＳBの再生音を実際に聴取して調整操作の効果（所望の特定成分が適切に抑圧されているか否か）を確認しながら調整操作を実行することが可能である。なお、音響信号ＳBの再生音を聴取した利用者が分離対象範囲Ｒの確定のための所定の操作を入力装置１２５に付与した場合に分離用データ処理装置１４Aに対する更新用データＵの送信が実行される構成（分離対象範囲Ｒの確定まで更新用データＵを送信しない構成）も好適である。
【００６４】
（７）図８は、第１実施形態の変形例に係る解析処理部３０のブロック図である。図８の変換処理部３８は、分離処理部２４（強調処理部２４４）が生成した音響信号ＳCに応じた変換データＤAを生成する。変換データＤAは、例えば音響信号ＳCを表現するＭＩＤＩ形式の時系列データである。図８の選択部８２は、分離処理部２４が生成した音響信号ＳCと変換処理部３８が生成した変換データＤAとの何れかを参照データＤREFとして選択する。
【００６５】
他方、図８の変換処理部３４は、収音装置１２６が生成した収録信号Ｖに応じた変換データＤBを生成する。変換データＤBは、第１実施形態や第２実施形態の収録データＤVと同様に、例えば収録信号Ｖを表現するＭＩＤＩ形式の時系列データである。選択部８４は、収音装置１２６が生成した収録信号Ｖと変換処理部３４が生成した変換データＤBとの何れかを収録データＤVとして選択する。評価処理部３２は、選択部８２が選択した参照データＤREFと選択部８４が選択した収録データＤVとを比較することで評価データＤSを生成する。
【００６６】
選択部８２および選択部８４の動作（選択対象）は、例えば入力装置１２５に対する利用者からの指示に応じて制御される。利用者は、第１評価処理および第２評価処理を選択することが可能である。第１評価処理が選択された場合、選択部８２は音響信号ＳCを参照データＤREFとして選択するとともに選択部８４は収録信号Ｖを収録データＤVとして選択する。したがって、評価処理部３２は、音響信号ＳCと収録信号Ｖとの比較結果に応じた評価データＤSを生成する（第１評価処理）。他方、第２評価処理が選択された場合、選択部８２は変換データＤAを参照データＤREFとして選択するとともに選択部８４は変換データＤBを収録データＤVとして選択する。したがって、評価処理部３２は、変換データＤAと変換データＤBとの比較結果に応じた評価データＤSを生成する（第２評価処理）。第１評価処理および第２評価処理の何れにおいても、音響信号ＳC（音響信号ＳCまたは変換データＤA）と収録信号Ｖ（収録信号Ｖまたは変換データＤB）との比較結果に応じた評価データＤSが生成される。
【００６７】
なお、図８においては第１実施形態の構成を基礎とした変形例を説明したが、第２実施形態や第３実施形態においても同様の構成（すなわち第１評価処理と第２評価処理とが選択的に実行される構成）が採用され得る。
【００６８】
（８）第１実施形態および第２実施形態では、端末装置１２の解析処理部３０が生成した更新用データＵを分離用データ処理装置１４Aの更新用データ取得部４４が受信する構成を例示したが、分離用データ処理装置１４Aの更新用データ取得部４４が解析処理部３０と同様の構成および動作により更新用データＵを生成することも可能である。具体的には、更新用データ取得部４４は、端末装置１２の収音装置１２６が生成した収録信号Ｖと歌唱音が強調された音響信号ＳCとを端末装置１２から受信し、収録信号Ｖと音響信号ＳCとの比較結果に応じた評価データＤSを生成する（評価処理部３２）とともに収録信号Ｖに応じた収録データＤVを生成する（変換処理部３４）。また、更新用データ取得部４４は、端末装置１２の入力装置１２５に対する利用者からの指示（調整操作）を端末装置１２から取得し、調整操作に応じた調整データＤCを生成する（調整管理部３６）。更新処理部４６は、更新用データ取得部４４が生成した更新用データＵ（評価データＤS，収録データＤV，調整データＤC）に応じて対象曲の分離用データＱを更新する。
【００６９】
以上の説明から理解される通り、第１実施形態および第２実施形態の更新用データ取得部４４は、分離用データＱを適用した分離処理後の音響信号ＳBの再生音を受聴した利用者による入力（収音装置１２６に対する歌唱や入力装置１２５に対する指示）が反映された更新用データＵを取得する要素として包括され、第１実施形態のように外部装置（端末装置１２）から更新用データＵを取得するか変形例の例示のように自身が更新用データＵを生成するかは不問である。
【００７０】
（９）前述の各形態では、音響信号ＳAの歌唱音の分離を例示したが、音響信号ＳAから分離される成分は歌唱音に限定されない。例えば音響信号ＳAのうち特定の楽器の演奏音を分離する構成は、当該楽器の演奏の練習に好適に利用される。また、音響信号ＳAの複数の成分（例えば複数の楽器の演奏音）を分離対象とすることも可能である。なお、以上の説明では楽曲の音響信号ＳAに対する分離処理を例示したが、本発明において音楽的な観点は必須ではない。例えば、特定の言語の会話音等が収録された語学学習用の音響信号ＳAから特定の成分（例えば複数の話者の会話音のうち特定話者の発声音）を分離することも可能である。
【符号の説明】
【００７１】
１００……音響処理システム、１２……端末装置、１４……分離用データ処理装置、１２１，１４２，１８１……制御装置、１２２，１４４，１８２……記憶装置、１２３，１４６……通信装置、１２４，１８４……表示装置、１２５，１８５……入力装置、１２６，１８６……収音装置、１２７，１８７……放音装置、１６……通信網、２２……分離用データ取得部、２４，５４……分離処理部、２６，５６……再生制御部、３０……解析処理部、３２，６２……評価処理部、３４，６４……変換処理部、３６，６６……調整管理部。４２……分離用データ提供部、４４，６０……更新用データ取得部、４６，７０……更新処理部。
【図１】
2014178641.tif 000003
【図２】
2014178641.tif 000004
【図３】
2014178641.tif 000005
【図４】
2014178641.tif 000006
【図５】
2014178641.tif 000007
【図６】
2014178641.tif 000008
【図７】
2014178641.tif 000009
【図８】
2014178641.tif 000010